(57)【要約】【課題】  受験者の顔写真を貼った申請書を頼りに、当該試験の受験申請を認証することなく、各種試験毎に受験者の顔画像情報及び個人情報に基づいて認証できるようにする。【解決手段】  受験者５の顔を撮影するための顔撮影条件情報ＰＤを含む受験申請書１０を作成するプリンタ５５と、このプリンタ５５によって作成され、かつ、受験者５に販売された受験申請書１０から顔撮影条件情報ＰＤを読み取るスキャナ１４と、受験者５の個人情報Ｄ１を入力するマウス８１やキーボード８２と、スキャナ１４によって読み取られた顔撮影条件情報ＰＤに基づいて受験者５の顔を撮影して顔画像データＤfaを取得するカメラ３１と、このカメラ２１によって取得された受験者５の顔画像データＤfa及びキーボード８２等によって入力された個人情報Ｄ１を受信して受験申請に対する認証を送信する認証装置６０とを備えるものである。【選択図】      図１
2005196292.tif 000002
【特許請求の範囲】
【請求項１】
各種試験、資格、証明及び／又は請求に係る手続に対して認証するシステムであって、
前記各種試験、資格、証明及び／又は請求に係る手続者の顔を撮影するための顔撮影条件情報を含む申請書を作成する書類作成手段と、
前記書類作成手段によって作成され、かつ、手続者に販売された前記申請書から顔撮影条件情報を読み取る情報読取手段と、
前記手続者の個人情報を入力する入力手段と、
前記情報読取手段によって読み取られた前記顔撮影条件情報に基づいて前記手続者の顔を撮影して顔画像を取得する撮影手段と、
前記撮影手段によって取得された前記手続者の顔画像情報及び前記入力手段によって入力された前記個人情報を受信して前記各種試験、資格、証明及び／又は請求に係る手続に対する認証を送信する認証装置とを備えることを特徴とする認証システム。
【請求項２】
前記申請書には、
前記顔撮影条件情報の他に、
前記試験種類情報又は及び認証装置への接続情報が含まれることを特徴とする請求項１に記載の認証システム。
【請求項３】
前記書類作成手段は、
前記顔撮影条件情報、試験種類情報及び接続情報のいずれか又は全部を電子的に読取可能なコード情報にした前記申請書を作成することを特徴とする請求項１及び２に記載の認証システム。
【請求項４】
前記申請書には、
前記試験の受験料の支払い有無を示す課金情報を記録する欄が設けられ、
当該申請書の所定の欄から前記課金情報が情報読取手段により読み取られることを特徴とする請求項１に記載の認証システム。
【請求項５】
前記申請書には、
前記手続者の顔画像を形成するための顔写真領域が設けられ、
前記顔写真領域には前記撮影手段によって取得された顔画像情報に基づく当該手続者の顔画像が形成されることを特徴とする請求項１に記載の認証システム。
【請求項６】
前記撮影手段には、
前記情報読取手段によって読み取られた前記顔撮影条件情報が設定されることを特徴とする請求項１に記載の認証システム。
【請求項７】
前記認証装置は、
前記手続者の受験資格と当該試験に係る受験料の支払い有無とを審査して認証情報を通知することを特徴とする請求項１に記載の認証システム。
【請求項８】
前記認証装置には、
前記手続者の携帯端末装置に前記認証情報を通知する通信手段が備えられることを特徴とする請求項１に記載の認証システム。
【請求項９】
前記認証装置は、
認証後の前記手続者の携帯端末装置に受験情報を配信することを特徴とする請求項１に記載の認証システム。
【請求項１０】
前記認証装置は、
認証後の前記手続者から受験情報の問い合わせを受け付け、
前記手続者毎に前記受験情報を配信することを特徴とする請求項１に記載の認証システム。
【請求項１１】
前記認証装置から前記各種試験の認証を受信して処理する情報処理手段を備えることを特徴とする請求項１に記載の認証システム。
【請求項１２】
前記情報処理手段には、
前記情報読取手段によって読み取られた前記認証装置への接続情報が設定されることを特徴とする請求項１１に記載の認証システム。
【請求項１３】
前記情報処理手段には、
前記情報読取手段によって読み取られた前記手続者の課金情報が入力され、
当該手続者の課金情報が前記認証装置に通知されることを特徴とする請求項１１に記載の認証システム。
【請求項１４】
前記手続者の顔画像情報及び個人情報に基づいて顔画像入りの受験票を作成する受験票作成手段を備えることを特徴とする請求項１に記載の認証システム。
【請求項１５】
前記受験票と引換えるための引換票を作成する引換票作成手段を備えることを特徴とする請求項１に記載の認証システム。
【請求項１６】
前記手続者の顔画像情報及び個人情報に基づいて手続者本人確認票を作成する本人確認票作成手段を備えることを特徴とする請求項１に記載の認証システム。
【請求項１７】
各種試験、資格、証明及び／又は請求に係る手続に対して認証する方法であって、
前記手続者の顔を撮影するための顔撮影条件情報を含む申請書を作成し、
前記顔撮影条件情報を含む前記申請書を手続者に販売すると共に、前記申請書を受け付け、
前記申請書の受付時に、
前記申請書から顔撮影条件情報を読み取ると共に、前記手続者の個人情報を入力し、
読み取られた前記顔撮影条件情報に基づいて前記手続者の顔を撮影して顔画像を取得し、
取得された前記手続者の顔画像及び入力された前記個人情報を受信して前記各種試験、資格、証明及び／又は請求に係る手続に対する認証を送信することを特徴とする認証方法。
【請求項１８】
前記申請書には、
前記顔撮影条件情報の他に、
前記試験種類情報又は及び認証機関への接続情報が含まれることを特徴とする請求項１７に記載の認証方法。
【請求項１９】
前記顔撮影条件情報、試験種類情報及び認証機関への接続情報のいずれか又は全部を電子的に読取可能なコード情報にした前記申請書を作成することを特徴とする請求項１８に記載の認証方法。
【請求項２０】
前記申請書に、
前記試験の受験料の支払い有無を示す課金情報を記録する欄を設け、
前記申請書の所定の欄から課金情報を読み取って認証処理をすることを特徴とする請求項１７に記載の認証方法。
【請求項２１】
前記申請書に、
前記手続者の顔画像を形成するための顔写真領域を設け、
前記顔写真領域に前記手続者の顔撮影によって得た顔画像情報に基づく顔画像を形成することを特徴とする請求項１７に記載の認証方法。
【請求項２２】
前記手続者の受験資格と当該試験に係る受験料の支払い有無とを審査して認証情報を通知することを特徴とする請求項１７に記載の認証方法。
【請求項２３】
前記手続者に予め携帯端末装置が準備され、
前記携帯端末装置に認証情報を通知することを特徴とする請求項１７に記載の認証方法。
【請求項２４】
認証後の前記手続者の携帯端末装置に受験情報を配信することを特徴とする請求項２３に記載の認証方法。
【請求項２５】
認証後の前記手続者から受験情報の問い合わせを受け付け、
前記手続者毎に前記受験情報を配信することを特徴とする請求項１７に記載の認証方法。
【発明の詳細な説明】
【技術分野】
【０００１】
この発明は、大学や高校受験、各種資格試験等の受験申請に対して認証するシステムに適用して好適な認証システム及び認証方法に関するものである。
【背景技術】
【０００２】
従来から、入学希望者が大学や高校等を受験する場合、あるいは、資格取得希望者が各種資格試験等を受験する場合に、受験申請書（受験願書）を試験実施機関に提出して認証を得るようになされる。ここで認証とは、一定の行為又は文書が正当な手続・方式でなされたことを公の機関が証明することをいう。
【０００３】
この種の受験申請書には、顔写真貼付領域が備えられ、試験実施機関が指定するサイズの顔証明写真を貼付するようになされる。受験申請書には、顔写真の他に、受験者等の個人情報が記述される。ここで、個人情報とは氏名、住所、性別、生年月日、略歴、受験資格等をいう。受験申請書に貼る顔証明写真は、通常、撮影業者に撮影を依頼して入手するようになされる。
【０００４】
この種の画像撮影システムに関連して、特許文献１には、プリントシステム、撮像装置、プリント受け処理装置、プリントサービス方法及び、プリント受付処理方法が開示されている。このプリントシステムによれば、撮像装置、プリント管理装置、プリント受付け処理装置及び、プリント処理装置がネットワークに接続され、プリント受付け処理装置が撮像装置から受信した画像データ単位に識別情報を発行すると共に、撮像装置に識別情報を記憶させ、受信した画像データと識別情報とを関連付けることによって、プリント管理装置がプリント処理装置における印刷を管理するようにしたものである。このような構成を採ると、デジタルカメラで撮像された画像の注文をより簡単に行うことが可能なプリントサービスシステムを構築できるというものである。
【０００５】
なお、受験申請書の受付け処理に関連して、特許文献２には自動取引装置が開示されている。この自動取引装置によれば、受験票発行部が接続されて店舗に配置される。自動取引装置は、通信回線を通じて金融機関センタシステムに接続され、更に、金融機関センタシステムは、通信回線を通じて学校センタシステムに接続される。受験希望者は、予め金融機関センタシステムに受験料を払い込むようになされる。受験希望者は、金融機関センタシステムから受験料払込証明書を入手する。
【０００６】
これを前提にして、受験希望者は、自動取引装置が備えられた最寄りの店舗に出向き、自動取引装置に受験情報を入力すると共に、受験料払込証明書を提示するようになされる。自動取引装置は、金融機関センタシステムを介して学校センタシステムに受験申込み処理をする。学校センタシステムは、受験料払込み済みを確認すると、金融機関センタシステムを介して自動取引装置に受験許可を送信する。自動取引装置では、受験票発行部を動作させて顔写真付きの受験票をプリントアウトする。プリントアウトされた受験票は受験希望者に配布される。このように構成すると、受験希望者は、最寄りの店舗で簡単な操作により、短時間でかつ手間をかけずに受験手続ができるというものである。
【０００７】
【特許文献１】特開２００２−１９１００１号公報
【特許文献２】特開平    ８−０７７２６１号公報（第６頁  図１）
【発明の開示】
【発明が解決しようとする課題】
【０００８】
しかしながら、従来方式の画像撮影システムと受験申請書の受付け処理とを結合した新たシステムを構築しようとした場合に、以下のような問題がある。
【０００９】
ｉ．特許文献１に記載の画像撮影システムを利用して入手した顔写真を特許文献２に記載の受験申請書を店舗で受付けるシステムに持ち込み、受験料等の受験申込み条件をクリアすると、その顔写真を受験票発行部に挿入するようになされ、受験票にその顔写真を貼付する形態が採られる。
【００１０】
このことで、受験者本人が持参した本人の顔写真を受験票に貼付する場合は、何ら問題が発生しないが、受験申請に訪れた申請者が受験者本人とは限らない場合に、自動取引装置によれば本人確認手段が無いので支障が生ずる。つまり、受験票に貼付された顔写真が他人の者である場合に、その他人が本人になりすまして試験を受ける替え玉受験がなされるおそれがある。
【００１１】
ii．また、試験の種類に応じて、受験申請書に貼付する顔写真のサイズが異なる場合が多い。試験の種類によっては、証明写真の画枠に対する顔の割合等も考慮しなければならない場合がある。このような場合でも、顔写真を貼った申請書を頼りに、当該試験の受験申請を認証しなくてはならない。
【００１２】
そこで、この発明は上述した課題を解決したものであって、受験者の顔写真を貼った申請書を頼りに、当該試験の受験申請等を認証することなく、各種試験毎に受験者の顔画像情報及び個人情報に基づいて認証できるようにした認証システム及び認証方法を提供することを目的とする。
【課題を解決するための手段】
【００１３】
上記課題を解決するために、本発明に係る認証システムは、各種試験、資格、証明及び／又は請求に係る手続に対して認証するシステムであって、手続者の顔を撮影するための顔撮影条件情報を含む申請書を作成する書類作成手段と、この書類作成手段によって作成され、かつ、手続者に販売された申請書から顔撮影条件情報を読み取る情報読取手段と、手続者の個人情報を入力する入力手段と、情報読取手段によって読み取られた顔撮影条件情報に基づいて手続者の顔を撮影して顔画像を取得する撮影手段と、この撮影手段によって取得された手続者の顔画像情報及び入力手段によって入力された個人情報を受信して各種試験、資格、証明及び／又は請求に係る手続に対する認証を送信する認証装置とを備えることを特徴とするものである。
【００１４】
本発明に係る認証システムによれば、各種試験、資格、証明及び／又は請求に係る手続を認証する場合に、書類作成手段は、手続者の顔を撮影するための顔撮影条件情報を含む申請書を作成するようになされる。情報読取手段は、書類作成手段によって作成され、かつ、手続者に販売された申請書から顔撮影条件情報を読み取るようになされる。入力手段は、手続者の個人情報を入力するように操作される。撮影手段は、情報読取手段によって読み取られた顔撮影条件情報に基づいて手続者の顔を撮影して顔画像を取得するようになされる。このようにすると、申請書に顔写真を貼るといった手間が省けるだけでなく、各種試験に応じた顔撮影条件で撮影された手続者の顔画像情報を取得することができる。
【００１５】
これを前提にして、認識装置は、撮影手段によって取得された手続者の顔画像及び入力手段によって入力された個人情報を受信して、各種試験、資格、証明及び／又は請求に係る手続に対して認証を送信するようになされる。従って、各種試験毎に顔撮影条件が異なった場合であっても、手続者の顔写真を貼った申請書を頼りに、当該試験の受験申請等を認証することなく、各種試験毎に手続者の顔画像情報及び個人情報に基づいて認証することができる。これにより、顔画像撮影業者を窓口とした各種試験申請書受付けシステムの構築に寄与するところが大きい。
【００１６】
本発明に係る認証方法は、各種試験、資格、証明及び／又は請求に係る手続に対して認証する方法であって、手続者の顔を撮影するための顔撮影条件情報を含む申請書を作成し、
顔撮影条件情報を含む申請書を手続者に販売すると共に、申請書を受け付け、申請書の受付時に、この申請書から顔撮影条件情報を読み取ると共に、手続者の個人情報を入力し、ここで読み取られた顔撮影条件情報に基づいて手続者の顔を撮影して顔画像を取得し、ここで取得された手続者の顔画像及び入力された個人情報を受信して各種試験、資格、証明及び／又は請求に係る手続に対する認証を送信することを特徴とするものである。
【００１７】
本発明に係る認証方法によれば、各種試験を受験する手続者のための申請書を認証する場合に、申請書に顔写真を貼るといった手間が省けるだけでなく、各種試験に応じた顔撮影条件で撮影された手続者の顔画像情報を取得することができる。しかも、各種試験毎に顔撮影条件が異なった場合であっても、手続者の顔写真を貼った申請書を頼りに、当該試験の受験申請等を認証することなく、各種試験毎に手続者の顔画像情報及び個人情報に基づいて認証することができる。これにより、顔画像撮影業者を窓口とした各種試験申請書受付けシステムの構築することができる。
【発明の効果】
【００１８】
本発明に係る認証システムによれば、各種試験、資格、証明及び／又は請求に係る手続を認証する場合に、申請書から読み取った顔撮影条件情報に基づいて手続者の顔を撮影して得た顔画像情報及び、この申請書から読み取った手続者の個人情報を受信して各種試験、資格、証明及び／又は請求に係る手続に対する認証を送信する認証装置を備えるものである。
【００１９】
この構成によって、各種試験毎に顔撮影条件が異なった場合であっても、手続者の顔写真を貼った申請書を頼りに、当該試験の受験申請等を認証することなく、各種試験毎に手続者の顔画像情報及び個人情報に基づいて認証することができる。これにより、顔画像撮影業者を窓口とした各種試験申請書受付けシステムの構築することができる。
【００２０】
本発明に係る認証方法によれば、各種試験、資格、証明及び／又は請求に係る手続に対する認証する場合に、手続者の顔を撮影するための顔撮影条件情報を含めた申請書を手続者に販売し、この申請書の受付時に、当該申請書から顔撮影条件情報を読み取り、ここで読み取られた顔撮影条件に基づいて手続者の顔を撮影して顔画像を取得するようになされる。
【００２１】
この構成によって、申請書に顔写真を貼るといった手間が省けるだけでなく、各種試験に応じた顔撮影条件で撮影された手続者の顔画像情報を取得することができる。しかも、各種試験毎に顔撮影条件が異なった場合であっても、手続者の顔写真を貼った申請書を頼りに、当該試験の受験申請等を認証することなく、各種試験毎に手続者の顔画像情報及び個人情報に基づいて認証することができる。なお、このようなシステムは、特に試験だけでなく、本人確認が要求される各種資格や証明書等の発行に容易に転用可能である。
【発明を実施するための最良の形態】
【００２２】
以下、図面を参照しながら、この発明の実施形態に係る認証システム及び認証方法について説明をする。
【実施例１】
【００２３】
図１は、本発明に係る第１の実施例としての受験申請認証システム１００の構成例を示す概念図である。
【００２４】
この実施例では、各種試験、資格、証明及び／又は請求に係る手続に対して認証する場合に、各種試験毎に顔撮影条件が異なった場合であっても、手続者の顔写真を貼った申請書を頼りに、当該試験の受験申請等を認証することなく、各種試験毎に手続者の顔画像情報及び個人情報に基づいて認証できるようにすると共に、顔画像撮影業者を窓口とした各種試験申請書受付けシステムの構築できるようにしたものである。
【００２５】
図１に示す受験申請認証システム１００は、各種試験、資格、証明及び／又は請求に係る手続に対して認証するシステムである。このシステム１００は、大学や高校受験、各種資格試験等の受験申請に対して認証するシステムに適用して好適である。このシステム１００で顔撮影業者には顔撮影受験申請受付けシステム２０が備えられ、認証センター１には認証装置６０が備えられ、試験業者３Ａ等には、試験情報管理装置７０が各々備えられる。これらの顔撮影受験申請受付けシステム２０、認証装置６０及び試験情報管理装置７０は、インターネット２等の既存の通信基盤を利用して接続される。もちろん、インターネット２に限られることなく、これらのシステム及び装置を専用の通信回線を使用して接続してもよい。
【００２６】
図１に示すインターネット２には、試験業者３Ａ等の試験情報管理装置７０が接続される。試験情報管理装置７０にはパーソナルコンピュータが使用され、相手方との通信処理に関してＨＴＴＰＳ（Ｈypertext  Ｔransfer  Ｐrotocol  Ｓecurity）やＰＧＰ（Ｐretty  Ｇood  Ｐrivacy）等の暗号化通信方式を採用することで、個人情報を保護することが可能となる。試験情報管理装置７０には書類作成手段の一例となるプリンタ５５が接続され、受験者（手続者）５の顔を撮影するための顔撮影条件情報ＰＤを含む受験申請書用紙１０’を作成するようになされる。顔撮影条件情報ＰＤは、例えば、画枠の大きさ、顔画像の位置や、サイズ、背景色（白、青色）等の設定データから構成される。これは、試験、各種資格、証明書等の種類によって証明写真の規格が異なる場合があり、この場合に、顔撮影条件情報ＰＤを自動的に切換えるためである。
【００２７】
受験申請書用紙１０’には、顔撮影条件情報ＰＤの他に、試験種類情報及び又は認証装置６０への接続情報が含まれる。接続情報は例えば、ＨＴＴＰＳ等により、アクセスが可能なＵＲＬ（Ｕniform  Ｒesource  Ｌocator）や、機器が接続相手先に接続するために必要な情報である。この例でプリンタ５５は、顔撮影条件情報ＰＤ、試験種類情報及び接続情報のいずれか又は全部を電子的に読取可能なコード情報（以下バーコードという）で形成した受験申請書用紙１０’を作成する。また、ここではバーコードに情報を記述するが、無線により書き換えが可能なタグを用いても同様なことが行える。顔撮影条件情報ＰＤ等がバーコードで形成された受験申請書用紙１０’は、例えば、試験業者３Ａ等から書籍店４に卸され、受験希望者（以下単に受験者ともいう）５に販売される。
【００２８】
この例で受験申請書用紙１０’には、更に、当該試験の受験料の支払い有無を示す課金情報を記録する欄が設けられる。課金情報は、例えば、領収コードを受験申請書用紙の所定の位置に形成することで「受験料支払い済み」を証明するようになされる。この欄の領収コード等の課金情報は、顔撮影受験申請受付けシステム２０のスキャナ１４により読み取られる。この読取りは、支払い済み情報を検知するためである。従って、顔撮影受験申請受付けシステム２０で撮影料金の課金処理が行われない。このようにシステム１００を構築すると、通常無人動作しているような写真撮影ボックス内で現金を取り扱わないで済む。売り上げ金の盗難等の心配が無くなる。
【００２９】
受験料は、受験申請書購入時に課金され、受験者５が書籍販売者に支払う。課金情報は例えば、書籍店４で当該受験申請書用紙１０’の所定の欄に記録される。撮影料金は、受験料（願書費用）内に加算されている。撮影料金を受験料の中に最初から含めておけば、受験者５にとって支払い手間が軽減される。また、書籍販売者は、受験料から販売手数料を差し引いて認証センター１にその残金を送金する。認証センター１は認証料を差し引き、その残金を試験業者３Ａ等と顔撮影業者に振り分けて送金するように金融操作される。
【００３０】
また、試験業者３Ａ等で上述のプリンタ５５は、本人確認票作成手段を構成し、受験者５の顔画像情報（以下顔画像データＤfaという）及び個人情報Ｄ２に基づいて受験者本人確認票４５を作成するようになされる。受験者本人確認票４５は、試験会場で試験当日、試験会場に出席した受験者５が申請者本人であるか否かを確認するために使用される。これらの受験申請書用紙１０’や受験者本人確認票４５等の印刷業務は、印刷製本業者６に委託するようにしてもよい。この場合、印刷製本業者６にはプリンタ５５が備えられる。
【００３１】
このシステム１００で、顔撮影業者には顔撮影受験申請受付けシステム２０が備えられる。顔撮影受験申請受付けシステム２０は、スキャナ１４、カメラ２１、プリンタ３３、ワークステーション８０等を備える。スキャナ１４は、情報読取手段の一例であり、試験業者３Ａ等のプリンタ５５によって作成され、かつ、受験者５に販売された受験申請書用紙１０’から顔撮影条件情報ＰＤを読み取るようになされる。この例で、受験申請書用紙１０’に所定の内容事項を記載したものを受験申請書１０ということにする。スキャナ１４には受験申請書１０の記載内容をデータ化するために文字認識機能付きのものが使用される。スキャナ１４は、ＲＳ２３２Ｃ通信プロトコルやＵＳＢ規格に基づく通信ケーブルを通じてワークステーション８０に接続される。
【００３２】
ワークステーション８０は、情報処理手段の一例であり、認証装置６０から各種試験の認証を受信して処理するように操作される。ワークステーション８０は、上述のインターネット２に接続され、相手方との通信処理に関してＨＴＴＰＳやＰＧＰ等の暗号化通信方式が採用される。ワークステーション８０にはパーソナルコンピュータが使用され、スキャナ１４によって読み取られた認識装置への接続情報が設定される。ワークステーション８０は、図示しない制御装置の他にマウス８１、キーボード８２、モニタ８３等を有している。
【００３３】
マウス８１及びキーボード８２は入力手段の一例であり、受験者５の個人情報Ｄ１を入力するように操作される。ここで個人（有）情報とは、受験者５（申請者）の氏名・住所・生年月日・略歴・年齢・住民基本台帳番号・免許証番号・パスポート番号・出身者学校（最終学歴）等をいう。ワークステーション８０は、また、スキャナ１４によって読み取られた受験者５の課金情報を入力し、当該受験者５の課金情報を認証装置６０に通知するようになされる。この通知は、試験の受験申請に対する認証を得るためである。
【００３４】
ワークステーション８０には、撮影手段の一例となるカメラ２１が接続される。カメラ２１にはデジタルカメラが使用され、スキャナ１４によって読み取られた顔撮影条件情報ＰＤが設定される。例えば、試験の種類に応じて、画枠に対する顔画像の大きさ、位置、背景色（白、青色）等の顔撮影条件情報ＰＤが自動設定される。このようにすると、顔撮影条件情報ＰＤに基づいてカメラ２１による顔撮影条件を試験の種類に応じ自動的に切換えることができる。カメラ２１は、顔撮影条件情報ＰＤに基づいて受験者５の顔を撮影して顔画像データを取得するように操作される。
【００３５】
この例で、ワークステーション８０にはスキャナ１４及びカメラ２１の他にプリンタ３３が接続される。プリンタ３３は、受験票作成手段の一例であり、受験者５の顔画像データＤfa及び個人情報Ｄ１に基づいて顔画像入りの受験票９０を作成するように操作される。顔画像入りの受験票９０は、その場で発行して渡す場合と、後日発行して引換票と交換する場合とに適している。前者の場合、写真撮影ボックス等に顔撮影受験申請受付けシステム２０を適用した場合において、受験票９０がその場で手に入るので、緊急性に富んでいる。受験者５が受験票９０を直ぐに欲しいという要求に充分対処できる。
【００３６】
後者の場合、引換票等のシリアル番号の他に、引換票持参人の顔をチェックして本人確認をした後に受験票９０を渡すことができる。受験者本人を証明できる。いずれの場合も、受験票９０に受験者本人の顔画像が形成されると、試験を受ける者を二重三重にチェックできるようになる。例えば、受験票９０の顔画像と受験者本人確認票４５の顔画像とが異なる場合は、受験票９０の偽造の疑いが強い。本人の顔と受験票９０の顔画像とが異なるも、受験票９０の偽造の疑いが強い。本人の顔と受験票９０の顔画像及び受験者本人確認票４５の顔画像とが異なる場合は、替え玉受験の疑いが強い。このような不正行為を未然に防ぎ、抑止力を向上する点で顔画像入りの受験票９０が好ましい。
【００３７】
なお、プリンタ３３は、引換票作成手段の一例を構成し、受験票９０を引換えるための引換票を作成するようになされる。引換票は、その場で発行される。このようにすると、引換票がその場で手に入るので、緊急性に富んでいる。受験者５が引換票を直ぐに欲しいという要求に充分対処できる。
【００３８】
認証装置６０は、顔撮影受験申請受付けシステム２０から受験者５の顔画像データＤfa及び個人情報Ｄ１を受信し、当該試験の受験資格と当該試験に係る受験料の支払い有無とを審査して受験申請に対する認証情報を送信するようになされる（認証通知処理）。受験者５の顔画像データＤfaは、顔撮影受験申請受付けシステム２０のカメラ２１によって取得されたものであり、その個人情報Ｄ１は、同システムのマウス８１やキーボード８２等を操作して入力されたものである。
【００３９】
認証装置６０は、上述のインターネット２に接続され、相手方との通信処理に関してＨＴＴＰＳやＰＧＰ等の暗号化通信方式が採用される。認証装置６０にはパーソナルコンピュータが使用される。認証装置６０は、例えば、当該試験の受験資格について、試験業者（試験機関）３Ａ等が管理する受験資格テーブルを参照し、受験申請書１０の記載内容と比較して受験資格を審査する。認証装置６０は、また、当該試験の受験料について、試験業者３Ａ等が管理する受験料テーブルを参照し、受験申請書１０の記載内容と比較して受験料を審査する。認証装置６０には、受験者５の個人情報Ｄ１が登録されると共に、保護者、監督者等の住所連絡情報等も登録される。
【００４０】
この例で認証装置６０には図示しない通信手段が備えられ、受験者５の携帯端末装置８８に認証情報を通知するようになされる。携帯端末装置８８には携帯電話機や、電子手帳などの通信機能付き情報携帯端末（ＰＤＡ：Ｐersonal  Ｄigital  Ａssistants）、ノート型のパソコン等が使用される。このような通信機能を導入すると、携帯端末装置８８へ顔画像データＤfa＋認証情報から構成される電子受験票を送信するシステムを構築することができる。
【００４１】
例えば、受験申請書１０から読取られた携帯電話番号情報等に基づいて当該認証装置６０から既存の通信基盤を利用して、受験者５の携帯端末装置８８を呼出し、認証情報＋顔画像データＤfa（電子受験票）を送信する。このようにすると、顔撮影受験申請受付けシステム２０で紙媒体の受験票９０に代替して電子受験票を利用できるようになる。
【００４２】
また、認証装置６０は、認証後の受験者５の携帯端末装置８８に対して受験情報Ｄｔを配信するサービスを提供することもできる。例えば、認証装置６０は、認証後の受験者５から受験情報Ｄｔの問い合わせを受け付け、受験者５毎に受験情報Ｄｔを配信する。もちろん、受験者５の問い合わせに限定されることなく、認証後の受験者５に対して住所連絡情報等に基づいて受験情報Ｄｔを定期的あるいは不定期に一方的に伝達するようにしてもよい。受験情報Ｄｔには、受験に必要なもの（試験日、試験場所、試験開始時刻、集合時間、試験終了時刻、試験場所への案内図、持参品（筆記用具））等が含まれる。
【００４３】
つまり、本来、受験票９０に記載されている内容（受験情報Ｄｔ）をデータ配信するようになされる。受験情報Ｄｔは、本人に限られることはなく、登録された保護者、監督者等の連絡先に送信するようにしてもよい。これにより、受験者５等は、宿泊場所の確保などを忘れた場合に、受験情報Ｄｔを自由にダウンロードできるようになる。
【００４４】
図２は、試験情報管理装置７０の構成例を示すブロック図である。図２に示す試験情報管理装置７０は、マウス７１、キーボード７２、モニタ７３、Ｉ／Ｏポート７４、ＣＰＵ７５、ＲＯＭ７６、ＲＡＭ７７、周辺機器インターフェース７８、ハードディスク（以下ＨＤＤという）７９、表示制御部７０１、通信モデム７０２、システムバス７０３を有している。
【００４５】
マウス７１及びキーボード７２は、Ｉ／Ｏポート７４を通じてＣＰＵ（Central Processing Unit；中央処理ユニット）７５に接続される。ＣＰＵ７５はシステムバス７０３に接続される。システムバス７０３にはＣＰＵ７５の他に、ＲＯＭ（Read Only Memory）７６、ＲＡＭ（Random Access Memory）７７、周辺機器インターフェース７８、ＨＤＤ７９、表示制御部７０１及び通信モデム７０２が接続される。
【００４６】
マウス７１及びキーボード７２は、例えば、受験者５の顔画像情報（以下顔画像データＤfaという）や個人情報Ｄ１等を認証装置６０から入力する際に操作される。この操作は、受験者本人確認票４５を作成するためである。受験者本人確認票４５は、試験会場に出席した受験者５が申請者本人であるか否かを確認するために使用される。マウス７１及びキーボード７２は、受験申請書用紙１０’を作成する際にも操作される。マウス７１及びキーボード７２を操作して発生した操作データＤ３１はＩ／Ｏポート７４を通じてＣＰＵ７５に出力される。
【００４７】
ＣＰＵ７５にはＲＯＭ７６が接続され、このＲＯＭ７６には、当該試験情報管理装置全体を制御するためのシステムプログラムデータが格納される。ＲＡＭ７７は、ワークメモリとして使用され、例えば、制御コマンド等を一時記憶するようになされる。ＣＰＵ７５は、電源がオンされると、ＲＯＭ７６からシステムプログラムデータを読み出してシステムを起動し、マウス７１やキーボード７２等からの操作データＤ３に基づいて当該試験情報管理装置全体を制御するようになされる。
【００４８】
ＣＰＵ７５にはシステムバス７０３を通じて周辺機器インターフェース７８が接続され、このインターフェース７８には、プリンタ５５が接続され、受験者５の顔を撮影するための顔撮影条件情報ＰＤを含む受験申請書用紙１０’を作成するようになされる。例えば、プリンタ５５は、顔撮影条件情報ＰＤ、試験種類情報及び接続情報のいずれか又は全部をバーコードにした受験申請書用紙１０’を作成する。プリンタ５５は、受験者５の顔画像データＤfa及び個人情報Ｄ１に基づいて受験者本人確認票４５を作成するようになされる。受験者５の顔画像データＤfaは、認証センター１から試験業者３Ａ等に転送される。
【００４９】
上述のシステムバス７０３には、ＨＤＤ７９が接続される。ＨＤＤ７９は、試験情報テーブル用のデータベースを構成する。試験情報テーブルとしては、例えば、当該試験種別に対応する受験資格を規定した受験資格テーブルや、当該試験に係る受験料を規定した受験料テーブル、当該試験に対応する顔撮影条件情報を格納した顔撮影条件テーブルが準備される。
【００５０】
このデータベースは、試験業者３Ａ等によって管理される。これらの参照テーブルの他に、ＨＤＤ７９には、当該試験の受験に必要なもの（試験日、試験場所、試験開始時刻、集合時間、試験終了時刻、試験場所への案内図、持参品（筆記用具））等の受験情報Ｄｔが記憶される。これは、受験票９０に記載されている内容（受験情報）を認証センター１を通じてデータ配信できるようにするためである。これらの受験情報Ｄｔは、認証センター１のハードディスクにダウンロードしておいてもよい。
【００５１】
上述のシステムバス７０３にはＨＤＤ７９の他に、表示制御部７０１が接続され、この表示制御部７０１にはモニタ７３が接続される。モニタ７３は、表示データＤ２１に基づいてデータベースの格納内容等を表示するようになされる。表示データＤ２１は、例えば、試験種類に対応した受験資格、受験料、顔撮影条件情報等をリスト表示する内容であって、表示制御部７０１からモニタ７３に出力される。
【００５２】
また、システムバス７０３には通信モデム７０２が接続される。通信モデム７０２は、図１に示したインターネット２に接続され、相手方との通信処理に関してＨＴＴＰＳやＰＧＰ等の暗号化通信方式が採用される。通信モデム７０２は、当該試験情報管理装置７０から認証センター１の認証装置６０へ受験情報Ｄｔを送信したり、認証装置６０から当該試験情報管理装置７０へ、受験者５の顔画像データＤfa及び個人情報Ｄ１をダウンロードする際に使用される。
【００５３】
図３Ａは、ＨＤＤ７９における試験情報テーブルの格納例を示す表図であり、図３Ｂは顔写真例を示す図である。図３Ａに示す試験情報テーブルは、ＨＤＤ７９内に構築されるものであり、その格納例によれば、ｎ個の試験種類Ｔ＃ｉ（ｉ＝１〜ｎ）に対応する受験資格（受験資格テーブル）や、当該試験に係る受験料（受験料テーブル）、当該試験に対応する顔撮影条件データＴＤ１〜ＴＤ３（顔撮影条件テーブル）が格納される。試験種類に関しては、国・公立・私立の大学や、公立・県立・私立の高校受験、各種資格試験等が含まれる。
【００５４】
図３Ａに示す試験情報テーブルにおいて、例えば、試験種類Ｔ＃１の欄に関して、「第×次○×△検定試験」が記述され、その受験資格の欄には「高卒以上」が記述され、受験料の欄には「３０００円」が記述され、顔撮影条件データＴＤ１の欄には、図３Ｂに示す画枠５ａの大きさ（幅ｗ0×高さｈ0）として「３ｃｍ×４ｃｍ」が記述され、顔撮影条件データＴＤ２の欄には背景色として「背景白」が記述され、顔撮影条件データＴＤ３の欄には顔の位置及びサイズが記録される。ここで、図３Ｂに示す画枠５ａに対して顔５ｂの上下の余白を定義する。ｘは顔５ｂの上部余白であり、ｙは顔５ｂの下部余白である。この例では、ＴＤ３の欄には「顔に対してｘ＝５ｍｍ、ｙ＝１ｃｍ」が記録される。
【００５５】
また、試験種類Ｔ＃２の欄に関して、「××××国家試験」が記述され、その受験資格の欄に「中卒以上」が記述され、受験料の欄に「２０００円」が記述され、顔撮影条件データＴＤ１の欄に画枠の大きさとして、「２．５ｃｍ×３．５ｃｍ」が記述され、顔撮影条件データＴＤ２の欄に背景色として「背景青」が記述され、顔撮影条件データＴＤ３の欄に顔の位置及びサイズとして、「顔に対してｘ＝５ｍｍ、ｙ＝８ｍｍ」が記録される。これらの試験情報テーブルの内容は、マウス７１及びキーボード７２を操作し、ＣＰＵ７５及びＲＡＭ７７の編集機能を利用して、例えば、あいうえお順に、編集できるようになされている。これらにより、試験情報管理装置７０を構成する。
【００５６】
図４は、受験申請認証システム１００で適用する受験申請書用紙１０’の構成例を示す図である。図４に示す受験申請書用紙１０’は、試験情報管理装置７０に接続されたプリンタ５５によって作成されるものである。
【００５７】
受験申請書用紙１０’の大きさは高さがＨ１ｍｍで、幅がＷ１ｍｍである。受験申請書用紙１０’には、例えば、所定の厚みを有したＡ４版等の大きさの用紙が使用される。用紙は色付きでも白色でもよい。
【００５８】
受験申請書用紙１０’には、「第×次○×△検定試験  受験申請書」のタイトルが印字される。タイトルの下方には、受験者５の「氏名：」を記述するための記述欄ｗ１が印字される。このタイトルの右側には、バーコードＢＣの記述欄ｗ２が設けられる。この記述欄ｗ２には、顔撮影条件データをエンコードしたバーコードＢＣが印字される。バーコードＢＣは、例えば、ローマ字及び数字を組み合わせたものである。
【００５９】
また、「氏名：」の記述欄ｗ１の右側には、受験者５の顔画像を形成するため、「写真」の貼付領域ｗ３が設けられる。「写真」の貼付領域ｗ３には、「ネット申込み対応」なる文字情報が印字される。この例で、ネット申込み対応の場合に、この貼付領域ｗ３に顔写真が貼付される。
【００６０】
これらの記述欄ｗ１及び貼付領域ｗ３の下方には、個人情報用の記述欄ｗ４が設けられる。記述欄ｗ４には、例えば、受験者５の「住所：」、「電話番号」、「携帯電話番号」、「ＦＡＸ番号」、「Ｅ−ｍａｉｌ：」、「携帯Ｅ−ｍａｉｌ：」、「年齢」、「性別」、「住民基本台帳番号：」、「過去の受験番号：」、「業者認証コード」、「免許証番号」、「パスポート番号」等が記述される。個人情報用の記述欄ｗ４の下方には、備考欄ｗ５が設けられる。備考欄ｗ５には、例えば、出身者学校（最終学歴）等が記述される。
【００６１】
備考欄ｗ５の右下方には、課金情報を記録する欄の一例となる領収コード用の記述欄（又は貼付領域）ｗ６が設けられる。この記述欄ｗ６には、課金情報の一例となる領収コードＲＣが形成され、当該試験の受験料の支払い有無に関して、「受験料支払い済み」を証明するようになされる。領収コードＲＣは、例えば、ローマ字及び数字を組み合わせたものである。この記述欄ｗ６の領収コードＲＣは、顔撮影受験申請受付けシステム２０のスキャナ１４により読み取られる。この例では、領収コードＲＣを読み取って、支払い済み情報を得るようになされる。この支払い済み情報は、認証処理に使用される。
【００６２】
なお、貼付領域ｗ３における顔写真に関しては、通常の顔撮影で得られるもの使用する。あるいは、顔撮影受験申請受付けシステム２０のカメラ２１によって取得された顔画像データＤfaに基づく当該受験者５の顔画像を形成するようにしてもよい。顔画像データＤfaは受験者５の顔撮影によって得られる。これは、受験者５の顔画像入りの受験申請書１０を証拠書類として残すためである。
【００６３】
図５は、顔撮影受験申請受付けシステム２０におけるカメラ２１の内部構成例を示すブロック図である。
図５に示すカメラ２１は、撮影手段の一例であり、顔撮影条件情報ＰＤに基づいて受験者（被撮影者）５を撮影してデジタルの顔画像データＤfaを出力（取得）するように操作される。この例で、カメラ２１にはシステムコントローラー２５が設けられる。システムコントローラー２５にはスキャナ１４が接続され、受験者５の受験申請書用紙１０’から申請書内容、バーコードＢＣ及び領収コードＲＣを読み取るように操作される。この読み取りは、個人情報Ｄ１、顔撮影条件情報ＰＤ及び「受験料支払い済み」の認証結果等を得るためである。
【００６４】
なお、受験申請書用紙１０’は予め受験者５に配布される。受験申請書用紙１０’には、顔撮影条件情報ＰＤをバーコードＢＣにして印刷されている。スキャナ１４はシステムコントローラー２５にコード読取信号Ｓｂを出力する。システムコントローラー２５は、スキャナ１４から出力されるコード読取信号Ｓｂを復号化（解読）して顔撮影条件情報ＰＤを検出（取得）する。
【００６５】
この例で、受験申請書１０から読み取られた顔撮影条件情報ＰＤは、当該カメラ２１に設定される。例えば、試験の種類に応じて、画枠の大きさ、顔画像の位置、サイズ、背景色（白、青色）等の顔撮影条件情報ＰＤが自動設定される。このようにすると、顔撮影条件情報ＰＤに基づいてカメラ２１による顔撮影条件を試験の種類に応じ自動的に切換えることができる。カメラ２１は、顔撮影条件情報ＰＤに基づいて受験者５の顔を撮影して顔画像データを取得するように操作される。
【００６６】
例えば、顔撮影受験申請受付けシステム２０が写真撮影ボックス（フォトカプセル）の場合、受験者５はカメラ２１の前にセットされた椅子に着席して顔写真を撮影するようになされる。このカメラ２１はデジタルカメラを構成し、個人情報Ｄ１＋顔画像データＤfa＋「受験料支払い済み」の認証結果を認証装置６０にアップロード（登録）するようになされる。
【００６７】
図５に示すカメラ２１は、レンズ１１、システムコントローラー２５及び表示制御部２６を有しており、このシステムコントローラー２５には、撮像素子１２、画像処理部１３、バッファメモリ１５、圧縮／伸長部１６、画像表示部２２、内蔵メモリ２３、操作部２４、周辺機器インターフェース２７及び外付けＰＣインターフェース２８が接続される。
【００６８】
レンズ１１は受験者５の顔映像を撮像素子１２上に結像する。撮像素子１２はレンズ１１によって結像された受験者５の顔映像を撮像し、アナログの顔撮像信号Ｓinを画像処理部１３に出力する。画像処理部１３は撮像素子１２に接続され、顔撮像信号Ｓinをアナログ・デジタル変換（Ａ／Ｄ変換）をしてデジタルの顔画像データＤfaを出力する。画像処理部１３は上述したＡ／Ｄ変換処理の他に受験者５の顔画像データＤfaと、制御手段を構成するシステムコントローラー２５からの個人情報Ｄ１とを関連付けて結合処理するようになされる。この結合処理後の顔画像データＤfa＋個人情報Ｄ１はバッファメモリ１５に一時記憶される。
【００６９】
システムコントローラー２５には、更に操作部２４が接続され、顔画像データＤfaを特定するための画像ＩＤ番号や、受験者５の個人情報Ｄ１等を入力する際に操作される。操作部２４には、図示しないシャッターの他に各種押しボタンや、テンキー、キーボード等から構成される。この操作部２４を使用して撮影日情報を入力してもよい。個人情報Ｄ１及び撮影日情報は、操作データＤ３としてシステムコントローラー２５に出力される。上述のバッファメモリ１５には圧縮／伸長部１６が接続され、顔画像データＤfaを圧縮して符号化される。また、圧縮／伸長部１６は圧縮済みの顔画像データＤfaを伸長して復号化する。
【００７０】
圧縮／伸長部１６には内蔵メモリ２３が接続される。内蔵メモリ２３には、撮像素子１２によって取得された受験者５の個人情報Ｄ１＋顔画像データＤfaが記憶される。内蔵メモリ２３にはＤＲＡＭやハードディスク等が使用される。受験者５の個人情報Ｄ１＋顔画像データＤfaは、認証装置６０に登録するまで内蔵メモリ２３で保持しておくことが好ましい。
【００７１】
上述のシステムコントローラー２５は、内蔵メモリ２３の入出力を制御する。例えば、システムコントローラー２５は、撮像素子１２により取得された受験者５の顔画像データＤfaと、スキャナ１４により受験申請書１０から読み取られた当該受験者５の個人情報Ｄ１とを関連づけて保存するように内蔵メモリ２３を制御する。もちろん、受験者５の画像ＩＤ番号＋顔画像データＤfaと、当該受験者５の個人情報Ｄ１とを結合して内蔵メモリ２３に保存するようにしてもよい。
【００７２】
この他に、システムコントローラー２５は、撮像素子１１や、画像表示部２２、操作部２４、周辺機器インターフェース２７及び、外付けＰＣインターフェース２８等の入出力を制御する。システムコントローラー２５は、ＲＯＭ５１、ＲＡＭ５２、ＣＰＵ５３を有している。ＲＯＭ５１には当該カメラ全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作部２４からの操作データＤ３に基づいて当該カメラ全体を制御するようになされる。
【００７３】
上述のバッファメモリ１５には表示制御部２６が接続され、この表示制御部２６には画像表示部２２が接続される。画像表示部２２には液晶ディスプレイが使用される。表示制御部２６はバッファメモリ１５から読み出された顔画像データＤfaに基づいて受験者５の顔をカラー表示するための表示データＤ２を作成する。例えば、表示制御部２６はＲＯＭテーブルを参照して顔画像データＤfaを表示データＤ２に変換するようになされる。表示制御部２６は画像表示部２２に表示データＤ２を出力して表示制御を実行する。
【００７４】
画像表示部２２はカメラモニタを構成し、表示データＤ２に基づいて受験者５の上半身を含む顔画像を表示するようになされる。上述した認証装置６０に登録するための顔画像は、受験者５に確認してもらうようになされる。目つぶり等のない顔画像を登録するためである。
【００７５】
周辺機器インターフェース２７は、図示しない外付けモニタや、バーコードリーダ等が接続可能となされている。この例で、スキャナ１４がシステムコントローラー２５に直接接続されているが、もちろん、周辺機器インターフェース経由でスキャナ１４を接続してもよい。
【００７６】
外付けＰＣインターフェース２８は、図１に示したワークステーション８０に接続可能となされ、当該ワークステーション８０からのデータＤinを入力したり、認証センター１の認証装置６０へ個人情報Ｄ１＋顔画像データＤfaをアップロードする場合に使用される。このようにカメラ２１を構成すると、受験申請書１０のユニーク番号をキーとし、このユニーク番号と顔画像データＤfaから成る一式に、受験申請に必要な要件を添付して認証センター１に転送できるようになる。
【００７７】
この例では、認証装置６０から当該受験申請書１０に関して認証がなされると、受験者５の顔画像データＤfa及び個人情報Ｄ１に基づいて顔画像入りの受験票９０を作成するようにプリンタ３３が操作される。
【００７８】
図６は、受験申請認証システム１００で適用する顔画像入りの受験票９０の構成例を示す図である。図６に示す受験票９０は、受験申請認証システム１００のワークステーション８０に接続されたプリンタ３３によって作成されるものである。
【００７９】
受験票９０の大きさは、高さがＨ２ｍｍで、幅がＷ２ｍｍである。受験票９０には、例えば、所定の厚みを有したＡ６、Ｂ６版等の大きさの用紙が使用される。用紙は色付きでも白色でもよい。受験票９０には、「第×次○×△検定試験  受験票」のタイトルが印字される。タイトルの右側には、受験番号の記述欄ｗ１２が設けられ、当該受験者５の受験番号が記述される。タイトルの下方には、
「氏名」の記述欄ｗ１３が設けられ、受験者５の氏名が印字（記述）される。この記述欄ｗ１３の下方には、「試験日」の記述欄ｗ１４が設けられ、当該試験の試験日が記述される。
【００８０】
また、記述欄ｗ１４の下方には「場所」の記述欄ｗ１５が設けられ、当該試験会場の場所を記述するようになされる。この記述欄ｗ１５の下方には、「開始時間」の記述欄ｗ１６が設けられ、当該試験の開始時刻を記述するようになされる。上述の記述欄ｗ１４〜ｗ１６の左側には、顔写真形成領域ｗ１７が設けられ、顔画像データＤfaに基づいて受験者５の顔画像が形成される。この記述欄ｗ１６の下方には、備考欄ｗ１８が設けられ、例えば、試験場における注意事項等が記述される。この例で受験票９０は、写真撮影ボックス等でその場で発行される。
【００８１】
図７は、認証センター１における認証装置６０の構成例を示すブロック図である。図７に示す認証装置６０は、マウス６１、キーボード６２、モニタ６３、Ｉ／Ｏポート６４、ＣＰＵ６５、ＲＯＭ６６、ＲＡＭ６７、周辺機器インターフェース６８、ハードディスク（以下ＨＤＤという）６９、表示制御部６０１、通信モデム６０２、システムバス６０３を有している。
【００８２】
マウス６１及びキーボード６２は、Ｉ／Ｏポート６４を通じてＣＰＵ６５に接続される。ＣＰＵ６５はシステムバス６０３に接続される。システムバス６０３にはＣＰＵ６５の他に、ＲＯＭ６６、ＲＡＭ６７、周辺機器インターフェース６８、ＨＤＤ６９、表示制御部６０１及び通信モデム６０２が接続される。
【００８３】
マウス６１及びキーボード６２は、例えば、受験者５の顔画像データＤfaや個人情報Ｄ１等をワークステーション８０から入力する際に操作される。顔画像データＤfaは、顔撮影受験申請受付けシステム２０のカメラ２１によって取得されたものである。この操作は、受験者５の受験申請を認証するためである。マウス６１及びキーボード６２を操作して発生した操作データＤ３３はＩ／Ｏポート６４を通じてＣＰＵ６５に出力される。
【００８４】
ＣＰＵ６５は、顔撮影受験申請受付けシステム２０から受験者５の顔画像データＤfa及び個人情報Ｄ１を受信し、当該試験の受験資格と当該試験に係る受験料の支払い有無とを審査して受験申請に対する認証情報を送信するようになされる（認証通知処理）。
【００８５】
ＣＰＵ６５は、例えば、当該試験の受験資格について、試験業者（試験機関）３Ａ等が管理する受験資格テーブルを参照し、受験申請書１０の記載内容と比較して受験資格を審査する。ＣＰＵ６５は、当該試験の受験料についても、試験業者３Ａ等が管理する受験料テーブルを参照し、受験申請書１０の記載内容と比較して受験料を審査する。
【００８６】
ＣＰＵ６５にはＲＯＭ６６が接続され、このＲＯＭ６６には、当該試験情報管理装置全体を制御するためのシステムプログラムデータが格納される。ＲＡＭ６７は、ワークメモリとして使用され、例えば、制御コマンド等を一時記憶するようになされる。ＣＰＵ６５は、電源がオンされると、ＲＯＭ６６からシステムプログラムデータを読み出してシステムを起動し、マウス６１やキーボード６２等からの操作データＤ３３に基づいて当該認証装置全体を制御するようになされる。
【００８７】
ＣＰＵ６５にはシステムバス６０３を通じて周辺機器インターフェース６８や、ＨＤＤ６９等が接続される。ＨＤＤ６９は、受験申請認証用のデータベースを構成する。ＨＤＤ６９には、受験者５の個人情報Ｄ１が登録されると共に、保護者、監督者等の住所連絡情報等も登録される。もちろん、試験業者３Ａ等で管理される受験情報内容をダウンロードしておいてもよい。
【００８８】
上述のシステムバス６０３にはＨＤＤ６９の他に、表示制御部６０１が接続され、この表示制御部６０１にはモニタ６３が接続される。モニタ６３は、表示データＤ２３に基づいてデータベースの格納内容等を表示するようになされる。表示データＤ２３は、例えば、当該試験の受験資格について、試験業者（試験機関）３Ａ等が管理する受験資格テーブルの参照内容であったり、受験申請書１０の記載内容であって、表示制御部６０１からモニタ６３に出力される。
【００８９】
また、システムバス６０３には通信モデム６０２が接続される。通信モデム６０２は、図１に示したインターネット２に接続され、相手方との通信処理に関してＨＴＴＰＳやＰＧＰ等の暗号化通信方式が採用される。通信モデム６０２は、試験情報管理装置７０から当該認証装置６０へ受験情報Ｄｔを受信したり、当該認証装置６０から試験情報管理装置７０へ、受験者５の顔画像データＤfa及び個人情報Ｄ１をダウンロードする際に使用される。これらにより認証装置６０を構成することで、認証センター１では、受験者（申請者）５の個人情報Ｄ１のうち、最低限の一つをリンクさせて認証する認証システムを構築できるようになる。
【００９０】
続いて、本発明に係る認証方法について説明をする。この実施例では、認証方法に関して、受験申請書用紙の作成例、顔撮影及び受験申請受付け時の処理例、受験申請認証時の処理例、受験申請認証後の処理例の４つに分けて説明をする。この受験申請認証システム１００では、写真撮影ボックス内で各種試験に関する受験申請書（願書）１０を受け付け、この写真撮影ボックス内からネットワーク経由で各種試験の申込みが可能となり、その場で受験票９０を発行できるようになる。
【００９１】
［受験申請書用紙の作成例］
図８は、試験業者３Ａ等における受験申請書用紙１０’の作成例を示すフローチャートである。この例では、顔撮影条件情報ＰＤ、試験種類情報及び接続情報のいずれか又は全部をバーコードＢＣにした受験申請書用紙１０’を作成する場合を例に挙げる。受験申請書用紙１０’は、試験情報管理装置７０に接続されたプリンタ５５によって作成される。試験の種類は１以上有る場合を想定する。
【００９２】
これらを受験申請書用紙１０’の作成条件にして、図８に示すフローチャートのステップＡ１で試験業者３Ａ等は試験種類を選択する。このとき、試験種類は、当該試験業者３Ａ等が取り扱う試験種類の中から選択される。試験種類に関しては、国・公立・私立の大学や、公立・県立・私立の高校受験、各種資格試験等が含まれる。これらの試験種類の中から任意の試験種類が選択されると、試験業者３Ａ等は、ステップＡ２で受験申請書用紙１０’の印刷枚数を設定する。印刷枚数に関しては、受験申請見込み枚数分が設定される。
【００９３】
その後、試験情報管理装置７０に接続されたプリンタ５５を使用して、ステップＡ３で顔撮影条件情報ＰＤを含む受験申請書用紙１０’を作成する。このとき、画枠の大きさ、顔画像の位置、サイズ、背景色（白、青色）等の設定データから顔撮影条件情報ＰＤが構成される。これは、試験の種類によって証明写真の規格が異なる場合があり、この場合に、顔撮影受験申請受付けシステム２０で顔撮影条件情報ＰＤを自動的に切換えるためである。この例では、顔撮影条件情報ＰＤの他に、試験種類情報又は及び認証機関への接続情報を含むようになされる。接続情報は例えば、ＨＴＴＰＳ等にアクセス可能なＵＲＬである。
【００９４】
ステップＡ４で受験申請書用紙１０’が目標枚数に到達したか否かをチェックする。この際のチェックは、プリンタ５５の図示しないカウンタを利用して印刷済み枚数を計数し、目標枚数に達したか否かを検出する。受験申請書用紙１０’が目標枚数に達した場合は、ステップＡ５に移行して他の試験種類について、受験申請書用紙１０’を作成するか否かをチェックする。この際の判断は、試験業者３Ａ等である。他の試験種類について受験申請書用紙１０’を作成する場合は、ステップＡ６に移行して当該受験申請書用紙１０’の印刷枚数を設定する。
【００９５】
その後、ステップＡ７に移行して設定枚数分の他の受験申請書用紙１０’を作成する。そして、ステップＡ８に移行して受験申請書用紙１０’が目標枚数に到達したか否かをチェックする。受験申請書用紙１０’が目標枚数に達した場合は、ステップＡ５に戻る。ステップＡ５では、他の試験種類について、受験申請書用紙１０’を作成するか否かをチェックする。他の試験種類について受験申請書用紙１０’を作成しない場合は、受験申請書用紙１０’の作成処理を終了する。
【００９６】
これにより、顔撮影条件情報ＰＤの他に、試験種類情報又は及び認証機関への接続情報が含まれた受験申請書用紙１０’を作成することができる。このような顔撮影条件情報ＰＤ等がバーコードＢＣで形成された受験申請書用紙１０’は、例えば、試験業者３Ａ等から書籍店４に卸され、受験希望者５に販売される。
【００９７】
なお、試験業者３Ａ等では、上述のプリンタ５５を使用して、受験者５の顔画像データＤfa及び個人情報Ｄ１に基づいて受験者本人確認票４５を作成するようになされる。受験者本人確認票４５は、試験会場で試験当日、試験会場に出席した受験者５が申請者本人であるか否かを確認するために使用される。これらの受験申請書用紙１０’や受験者本人確認票４５等の印刷業務は、印刷製本業者６に委託するようにしてもよい。この場合、印刷製本業者６にはプリンタ５５が備えられる。
［顔撮影及び受験申請受付け時の処理例］
図９〜図１１は、顔撮影受験申請受付けシステム２０における顔撮影及び受験申請受付け時の処理例（その１〜３）を各々示すフローチャートである。
【００９８】
この例では、顔撮影受験申請受付けシステム２０を写真撮影ボックスに適用し、そのボックス内にスキャナ１４を備え、このスキャナ１４で受験申請書１０を読み込む場合を想定する。当該試験の受験希望者５は、書籍店４で受験申請書用紙１０’を購入し、この用紙１０’に必要事項を記入する。
【００９９】
この例で支払い方法に関して、受験料は、受験申請書用紙購入時に課金され、受験者５が書籍販売者に支払った場合を例に挙げる。課金情報は、書籍販売者から領収済みコード（以下単に領収コードＲＣという）が付与され、この領収コードＲＣを受験申請書用紙１０’の所定の位置に形成することで「受験料支払い済み」を証明するようになされる。領収コードＲＣは、受験申請時に受験申請書１０に記録されていればよい。この受験申請書１０は、受験者５が写真撮影ボックスに持参することを前提とする。
【０１００】
これらを処理条件にして、図９に示すフローチャートのステップＢ１でオペレータ（管理者）は、当該システム２０を起動する。その後、ステップＢ２で顔撮影受験申請受付けシステム２０は、顔撮影要求が待機される。当該システム２０は、撮影項目の選択を受付けるべく、ステップＢ３に移行する。このステップＢ３では、顔撮影に関して受験申請顔撮影Ａａ又は通常撮影Ｂｂのいずれかの選択を受付ける。後者Ｂｂの場合は、ステップＢ２３に移行して通常の顔撮影（一般的な証明写真撮影）を実行する。その後、ステップＢ２４に移行する。前者Ａａの場合（出願申請・試験を指定する場合）は、顔撮影及び受験申請書１０が受け付けられる。
【０１０１】
上述のステップＢ３で顔撮影及び受験申請書１０が受け付けられた場合は、ステップＢ４に移行して、当該受験申請書１０をスキャナ１４にセットするように案内処理される。受験者５は当該案内処理に従って、当該受験申請書１０をスキャナ１４にセットするようになされる。
【０１０２】
この受験申請書１０のセットと共に、ステップＢ５でスキャナ１４は受験申請書１０から顔撮影条件情報ＰＤを読み取るようになされる。この顔撮影条件情報ＰＤは、画枠の大きさ、顔の位置、サイズ、背景色（白、青色）等の設定データから構成される。受験申請書（願書）１０の読込みは、スキャナ１４のＯＣＲ機能を利用して実行する。
【０１０３】
そして、ステップＢ６で支払い方法を決定するが、この例では、スキャナ１４は、領収コードＲＣを読み取ると共に、受験者５の個人情報Ｄ１を読み取ってカメラ２１やワークステーション８０等に入力する。この支払い方法に関して、領収コードＲＣによる場合に限られることはなく、現金やクレジット決済であってもよい。
【０１０４】
その後、ステップＢ７に移行してカメラ２１又はワークステーション８０は、領収コードＲＣの確認処理を実行する。この領収コードＲＣによって、読込み時点で認証することができる。例えば、システムコントローラー２５は、領収コードＲＣを解読して「受験料支払い済み」を認証するようになされる。このようにすると、写真撮影ボックス内で現金を取り扱わないで済む。「受験料支払い済み」の認証結果は、認証センター１に転送するとよい。
【０１０５】
「受験料支払い済み」の確認処理は、顔撮影受験申請受付けシステム２０で認証する場合に限られることはなく、認証センター１で認証するようにしてもよい。この場合は、認証センター１に事前に、当該受験者５の課金情報を何らの形態で認知させておく必要がある。
【０１０６】
上述のステップＢ７で領収コードＲＣの確認処理の結果によって制御を分岐する。つまり、ステップＢ８に移行して、領収コードＲＣの確認結果が「ＮＧ（不適）」の場合は、ステップＢ２４に移行する。領収コードＲＣの確認結果が「ＯＫ（良好）」の場合は、ステップＢ９に移行して、先に、スキャナ１４で読み取った顔撮影条件情報ＰＤがステップＢ９でカメラ２１に設定される。
【０１０７】
その後、ステップＢ１０に移行してカメラ２１は、顔撮影条件情報ＰＤに基づいて受験者５の顔を撮影して顔画像データＤfaを取得する。そして、ステップＢ１１に移行して、受験者５の顔画像及び受験申請書内容を表示する。このとき、ワークステーション８０のモニタ８３又は、図示しない外付けモニタに、例えば、受験申請書１０の記載内容と、受験者５の顔画像とが表示される。
【０１０８】
その後、ステップＢ１２に移行して、ワークステーション８０又はカメラ２１では、まず、顔画像に関して、受験者５から確認を得るようになされる。このとき、受験者５の同意が得られない（顔画像が気に入らない）場合（ＮＧ）は、ステップＢ１０に戻って受験者５の顔を再撮影するようになされる。受験者５が確認「ＯＫ」を指示する場合は、確認キー等を押下して、ワークステーション８０に確認コマンドを入力するようになされる。確認キー等は、マウス８１又はキーボード８２によって構成される。
【０１０９】
そして、ワークステーション８０は、次に、ステップＢ１３で受験申請書１０の記載内容に修正が必要か否かを受け付けるようになされる。修正が必要である場合は、ステップＢ１４に移行し、マウス８１又はキーボード８２を使用して、受験申請書１０の内容が修正される。その後、ステップＢ１１に戻って、修正後の受験申請書１０の内容がモニタ上に表示される。これは、モニタ上で内容を修正するためである。
【０１１０】
ステップＢ１３で修正が必要でない場合は、ステップＢ１５に移行して、ワークステーション８０又はカメラ２１では、受験者５からの最終的な確認を得るようになされる。ここで、受験者５は、受験申請書１０の記載内容と、受験者５の顔画像とが両方共「ＯＫ」である場合は、再度、上述の確認キー等を再押下して確認コマンドを入力するようになされる。受験申請書１０の記載内容に不備がある場合は、ステップＢ１６に移行してもう一度、やり直すかがチェックされる。この際の判断は、受験者５である。申請書の記入内容に追加があって、もう一度、やり直す場合は、ステップＢ１１に戻って上述した処理を繰り返すようになされる。
【０１１１】
上述のステップＢ１２で受験者５の顔画像の「ＯＫ」が得られ、ステップＢ１５で受験申請書記入内容の「ＯＫ」が得られた場合（最終的な確認を得られた場合）は、ステップＢ１７に移行して上述の確認コマンドをトリガにして回線接続処理をする。この回線接続処理は、認証センター１の認証を受けるためである。回線接続処理では、ワークステーション８０と認証装置６０とがインターネット２を通じて接続され、データ通信可能な状態となされる。その後、ステップＢ１８に移行してワークステーション８０は、個人情報Ｄ１＋顔画像データＤfa＋「受験料支払い済み」の認証結果を認証装置６０に送信する。認証センター１では、各種試験毎に受験申請に対する認証を実行するようになされる。
【０１１２】
そして、ステップＢ１９で認証装置６０から認証を受信したかを確認する。この際の確認は、例えば、ワークステーション８０の通信機能を利用して実行される。認証装置６０から認証を受信していない場合は、ステップＢ２０に移行して認証受信処理を継続する。ステップＢ１９で認証装置６０から認証を受信した場合は、ステップＢ２１に移行して回線断処理をする。この回線断処理では、ワークステーション８０や認証装置６０等がインターネット２から切り離され、データ通信ができない状態となされる。
【０１１３】
その後、ステップＢ２２に移行して受験票９０あるいは受験票引換券の発行処理を実行する。このとき、受験票９０あるいは受験票引換券は、紙での発行、携帯電話機への送信等が考えられる。この例では、次の３つを対象としている。
【０１１４】
ｉ．写真入り受験票９０をその場で発行する。
ii．登録先住所へ受験票９０あるいは受験票引換券を送付する。
iii．携帯電話機への認証情報（コード化情報）を通知する。
【０１１５】
この例で、受験票９０を紙で発行する場合、プリンタ３３は、図６に示したような受験票９０を作成するようになされる。作成された受験票９０は、受験者５に配布される。その後、ステップＢ２４に移行する。
【０１１６】
ステップＢ２４では、顔撮影及び受験申請受付け時の処理を終了するか否か判断をする。この際の判断は、顔撮影受験申請受付けシステム２０の管理者である。写真撮影ボックスを２４時間営業とする場合は、ステップＢ２に戻って、上述した処理を繰り返すようになされる。写真撮影ボックスの稼働時間を区切って営業する場合は、毎日当該終了時刻を以て上述した処理を終了するようになされる。なお、受験票９０は紙媒体に限られることはなく、受験者５に予め、携帯電話機や、ノート型のパソコン等の携帯端末装置８８を準備させ、これらの携帯端末装置８８に認証情報を通知するようにしてもよい。
【０１１７】
［受験申請認証時の処理例］
図１２は、認証装置６０における処理例を示すフローチャートである。この例で認証センター１には認証装置６０が備えられ、各写真撮影ボックス内のワークステーション８０がインターネット２を通じて認証装置６０に接続され、各種試験、資格、証明及び／又は請求に係る手続に対して認証する場合を前提とする。認証装置６０では、受験者５の受験資格と当該試験に係る受験料の支払い有無とを審査して認証情報を通知する場合を例に挙げる。この例で認証処理は、２４時間中実行する場合を例に挙げる。
【０１１８】
これらを処理条件にして、図１２に示すフローチャートのステップＣ１でオペレータ（管理者）は、当該認証装置６０の電源をオンしてシステムを起動する。その後、ステップＣ２で認証装置６０は、「受験申請認証」のための回線接続要求が待機される。ステップＣ２で当該認証装置６０への回線接続要求が有った場合は、ステップＣ３に移行して回線接続処理を実行する。この回線接続処理では、認証装置６０とワークステーション８０とがインターネット２を通じて接続され、データ通信可能な状態となされる。
【０１１９】
その後、ステップＣ４で認証装置６０は、写真撮影ボックス内のワークステーション８０から個人情報Ｄ１＋顔画像データＤfa＋「受験料支払い済み」の認証結果を受信する。認証センター１では、各種試験毎に受験申請に対する認証を実行するようになされる。
【０１２０】
そして、ステップＣ５で受験者５の受験資格と当該試験に係る受験料の支払い有無とを審査する。受験料の支払い有無は、例えば、「受験料支払い済み」の認証結果及び、当該試験に係る受験料を規定した受験料テーブルに基づいて審査される。受験者５の受験資格は、当該試験種類に対応する受験資格を規定した受験資格テーブルに基づいて審査する。受験料テーブルや受験資格テーブル等は、試験業者３Ａ等から認証センター１に提供される。このとき、認証センター１が試験業者３Ａ等へ認証業務を依頼してもよい。
【０１２１】
そして、ステップＣ６で認証装置６０は、「受験申請認証」の要求が有った顔撮影受験申請受付けシステム２０に対して認証結果を通知する。その後、ステップＣ７で認証装置６０は回線断処理する。この回線断処理では、当該認証装置６０やワークステーション８０等がインターネット２から切り離され、データ通信ができない状態となされる。そして、ステップＣ８に移行して認証装置６０では後処理がなされる。例えば、認証装置６０は、受験者５の個人情報Ｄ１や、保護者、監督者等の住所連絡情報等をデータベース化したり、及び、試験業者３Ａ等の試験情報管理装置７０へ当該試験に係る受験者数等の認証結果を通知するようになされる。
【０１２２】
なお、認証装置６０のＨＤＤ６９には、試験業者３Ａ等から受験情報Ｄｔがダウンロードされる。受験情報Ｄｔの内容は、当該試験の受験に必要なもの（試験日、試験場所、試験開始時刻、集合時間、試験終了時刻、試験場所への案内図、持参品（筆記用具））である。これは、受験票９０に記載されている内容である、受験情報Ｄｔを認証センター１を通じてデータ配信できるようにするためである。そして、ステップＣ２に戻って上述した処理を繰り返すようになされる。これにより、２４時間中、受験申請認証や、受験情報Ｄｔのデータ配信処理を実行できるようになる。
【０１２３】
［受験申請認証後の処理例］
図１３Ａ及びＢは、受験申請認証後の処理例を示すフローチャートである。この実施例では、受験申請認証後の情報処理に関して、携帯端末装置側と認証センター側の２つに分けて説明をする。
【０１２４】
（携帯端末装置側）
図１３Ａは、携帯端末装置８８における情報処理例を示すフローチャートである。この例で、受験者５には、予め携帯端末装置８８が準備され、認証後の受験者５の携帯端末装置８８に受験情報Ｄｔをデータ配信するようになされる。この例で、受験情報Ｄｔに関するデータ配信サービスは、２４時間中、いつでも得られる場合を例に挙げる。
【０１２５】
これらを処理条件にして、図１３Ａに示すフローチャートのステップＥ１で受験者５は、当該携帯端末装置８８の電源をオンする。その後、ステップＥ２で受験者５は、認証センター１によるデータ配信サービスを利用するかを選択する。データ配信サービスを利用するか否かは、例えば、当該携帯端末装置８８のモニタに、選択画面が表示され、この選択画面上で決めるようになされる。この選択画面は、認証通知を受験票９０の形態で取得し、かつ、携帯端末装置８８でも受信した場合及び、携帯端末装置８８で認証通知を受信した場合にモニタに表示される。
【０１２６】
このデータ配信サービスを利用する場合は、ステップＥ３に移行して当該携帯端末装置８８から認証装置６０を呼び出す発呼処理をする。この発呼処理によって、ステップＥ４で回線接続処理をする。この回線接続処理では、当該携帯端末装置８８と認証装置６０とが公衆電話回線を通じて接続され、データ通信可能な状態となされる。そして、ステップＥ５で受験者５の操作を受けた携帯端末装置８８は、当該試験に係る受験情報Ｄｔのデータ配信要求を認証装置６０に送信する。認証装置６０は、このデータ配信要求を受けて当該携帯端末装置宛に当該試験に関する受験情報Ｄｔをデータ配信する。
【０１２７】
この認証装置６０からデータ配信される受験情報ＤｔをステップＥ６で当該携帯端末装置８８が受信する。認証装置６０から受信した、当該試験の受験に必要な受験情報Ｄｔは、当該携帯端末装置内の図示しない不揮発メモリにダウンロードされる。その後、ステップＥ７で回線断処理をする。この回線断処理では、当該携帯端末装置８８や認証装置６０等が公衆電話回線から切り離され、データ通信ができない状態となされる。
【０１２８】
そして、ステップＥ８に移行して終了判断をする。この際の判断は、当該携帯端末装置８８の操作者（受験者）５である。例えば、当該携帯端末装置８８では電源オフ情報を検出して、データ配信サービスの利用を終了する。電源オフ情報が検出されない場合は、ステップＥ２に戻って当該データ配信サービスの利用を継続するようになる。これにより、受験者５は２４時間中、いつでも、受験情報Ｄｔに関するデータ配信サービスを受信できるようになる。
【０１２９】
（認証センター側）
図１３Ｂは、認証装置６０における情報処理例を示すフローチャートである。  この例で認証センター１には認証装置６０が備えられ、認証装置６０は、認証後の受験者５から受験情報Ｄｔの問い合わせを受け付け、受験者５毎に受験情報Ｄｔをデータ配信するようになされる。この例で、受験情報Ｄｔに関するデータ配信サービスは、２４時間中、いつでも実行される場合を例に挙げる。
【０１３０】
これらを処理条件にして、図１３Ｂに示すフローチャートのステップＦ１でオペレータは、当該認証装置６０の電源をオンしてシステムを立ち上げる。その後、ステップＦ２で認証装置６０は、当該装置への発呼を待機する。これは、データ配信サービスの利用要求を待機するためである。
【０１３１】
ステップＦ２で当該装置への発呼が有った場合は、ステップＦ３で回線接続処理をする。この回線接続処理では、当該認証装置６０と携帯端末装置８８とが公衆電話回線を通じて接続され、データ通信可能な状態となされる。そして、ステップＦ４で認証装置６０は、受験者５の携帯端末装置８８から、当該試験に係る受験情報Ｄｔのデータ配信要求を受信する。
【０１３２】
そして、認証装置６０は、ステップＦ５で当該携帯端末装置宛に当該試験に関する受験情報Ｄｔをデータ配信する。その後、ステップＦ６で回線断処理をする。この回線断処理では、当該認証装置６０や携帯端末装置等が公衆電話回線から切り離され、データ通信ができない状態となされる。
【０１３３】
そして、ステップＦ２に戻り、上述した処理を繰り返すようになされる。これにより、認証装置６０は、受験情報Ｄｔに関するデータ配信サービスを２４時間中、いつでも実行できるようになり、受験者５は２４時間中、いつでも、受験情報Ｄｔに関するデータ配信サービスを受けることができる。もちろん、これに限られることはなく、受験情報Ｄｔの送信日を検知し、受験者５への情報送信方法を検出し、この送信方法に基づいて、受験者５へ受験情報Ｄｔを送信するようにしてもよい。
【０１３４】
このように、本発明に係る第１の実施例としての認証システム及び認証方法によれば、各種試験、資格、証明及び／又は請求に係る手続を認証する場合に、試験業者３Ａ等のプリンタ５５で、受験者５の顔を撮影するための顔撮影条件情報ＰＤを含む受験申請書１０を作成するようになされる。顔撮影受験申請受付けシステム２０のスキャナ１４では、プリンタ５５によって作成され、かつ、受験者５に販売された受験申請書１０から顔撮影条件情報ＰＤを読み取るようになされる。
【０１３５】
また、当該システム２０のマウス８１やキーボード８２等は、受験者５の個人情報Ｄ１を入力するように操作される。カメラ２１は、スキャナ１４によって読み取られた顔撮影条件情報ＰＤに基づいて受験者５の顔を撮影して顔画像データＤfaを取得するようになされる。このようにすることで、受験申請書１０に顔写真を貼るといった手間が省けるだけでなく、各種試験に応じた顔撮影条件で撮影された受験者５の顔画像を取得することができる。
【０１３６】
更に、認証センター１の認証装置６０は、顔撮影受験申請受付けシステム２０から受験者５の顔画像データＤfa及び個人情報Ｄ１をインターネット２を通じて受信し、各種試験毎に認証結果を送信するようになされる。顔撮影受験申請受付けシステム２０では、インターネット２を利用して、認証センター１から認証を受けることができる。
【０１３７】
従って、各種試験毎に顔撮影条件が異なった場合であっても、受験者５の顔写真を貼った受験申請書１０を頼りに、当該試験の受験申請を認証することなく、各種試験毎に受験者５の顔画像データＤfa及び個人情報Ｄ１に基づいて認証することができる。これにより、顔画像撮影業者を窓口とした各種試験受験申請書受付けシステムの構築に寄与するところが大きい。
【実施例２】
【０１３８】
図１４は、本発明に係る第２の実施例としての認証システム２００の構成例を示す図である。
この実施例では、第１の実施例で説明した認証装置６０及び試験情報管理装置７０がネット試験センター９に配置され、受験者５には、プリンタ４４と通信機能付きのパソコン４０が予め準備される。この認証システム２００では、受験者５がネット試験センター９からインターネット経由で受験申請書１０を取得し、写真撮影ボックス内で各種試験に関する受験申請書（願書）１０を受け付け、この写真撮影ボックス内からネット試験センター９へネットワーク経由で受験申込みをするようになされる。
【０１３９】
この写真撮影ボックスには、顔撮影受験申請受付けシステム２０が適用され、その写真撮影ボックスで受験票９０を発行するようにしたものである。なお、第１の実施例と同じ名称及び符号のものは同じ機能を有するのでその説明を省略する。
【０１４０】
図１４に示すネット試験センター９には、認証装置６０及び試験情報管理装置７０が備えられる。認証装置６０は、ローカルエリアネットワーク（ＬＡＮ）を通じて試験情報管理装置７０に接続される。認証装置６０は、受験申込みを受付けるために、インターネット２に接続される。このインターネット２には、顔撮影受験申請受付けシステム２０や受験者５のノート型のパソコン４０が接続される。パソコン４０には、受験申請書１０をプリントアウトするためにプリンタ４４がＵＳＢ規格の通信ケーブル等により接続される。
【０１４１】
この例で、受験者５がネット試験に受験申請する場合、当該パソコン４０の電源をオンしてシステムを立ち上げる。その後、受験者５は、ネット試験センター９にアクセスして受験項目をパソコン４０にダウンロードし、そのモニタ４３に選択画面を表示する。この選択画面で、受験者５は、複数の試験種類の中から受験項目を選択するようになされる。受験項目は、マウス４１及びキーボード４２を使用して選択する。ここで選択した受験項目に係る受験申請書用紙１０’をプリンタ４４を使用してプリントアウトする。当該試験に係る受験料は、例えば、ネット決済され、「受験料領収済み」を示す情報が所定の金融機関からネット試験センター９へ通知される。
【０１４２】
この受験申請書用紙１０’には、顔撮影条件情報ＰＤをエンコードしたバーコードＢＣが印字される（図４参照）。受験者５は、プリントアウトされた受験申請書用紙１０’に住所・氏名、その他必要事項を記入して、受験申請書１０を顔撮影受験申請受付けシステム２０に持参する。顔撮影受験申請受付けシステム２０では、当該受験申請書１０をスキャナ１４にセットするように案内処理される。
【０１４３】
受験者５は当該案内処理に従って、当該受験申請書１０をスキャナ１４にセットするようになされる。この受験申請書１０のセットと共に、スキャナ１４は受験申請書１０から顔撮影条件情報ＰＤを読み取るようになされる。スキャナ１４で読み取った顔撮影条件情報ＰＤがカメラ２１に設定される。このとき、写真撮影ボックス内からネットワーク経由で顔画像の撮影条件情報ＰＤを自動的に読み込むようにしてもよい。
【０１４４】
カメラ２１は、顔撮影条件情報ＰＤに基づいて受験者５の顔を撮影して顔画像データＤfaを取得する。その後の処理については、第１の実施例で説明した通りである。従って、ネット試験センター９からインターネット経由で受験申請書１０を取得し、写真撮影ボックス内で各種試験に関する受験申請書（願書）１０を受け付け、この写真撮影ボックス内からネット試験センター９へネットワーク経由で受験申込みをすることができる。
【０１４５】
しかも、各種試験毎に顔撮影条件が異なった場合であっても、受験者５の顔写真を貼った受験申請書１０を頼りに、当該試験の受験申請を認証することなく、各種試験毎に受験者５の顔画像データＤfa及び個人情報Ｄ１に基づいて認証することができる。これにより、顔画像撮影業者を窓口とした各種試験受験申請書受付けシステムの構築に寄与するところが大きい。
【実施例３】
【０１４６】
図１５は、本発明に係る第３の実施例としての認証システム３００の構成例を示す図である。
この実施例では、第１の実施例で説明した認証装置６０及び試験情報管理装置７０が備えられるが、受験者５には、第２の実施例で説明したプリンタ４４や、通信機能付きのパソコン４０等が準備されない場合を例に挙げる。
【０１４７】
この認証システム３００では、受験者５が書籍店４から受験申請書用紙を取得し、写真撮影ボックスで顔写真を撮影し、この顔写真を受験申請書用紙に貼付して各種試験に関する受験申請書（願書）１０を認証センター１で受け付けることで、受験申込みをするようになされる。
【０１４８】
この写真撮影ボックスには、顔撮影受験申請受付けシステム２０が適用されるが、その写真撮影ボックスでは受験票９０が発行されず、試験業者３Ａ等が発行するようにしたものである。なお、第１及び第２の実施例と同じ名称及び符号のものは同じ機能を有するのでその説明を省略する。
【０１４９】
図１５に示す認証センター１には認証装置６０が備えられ、試験業者３Ａ等には、試験情報管理装置７０が備えられる。認証装置６０は、専用通信回線２’を通じて試験情報管理装置７０に接続される。この例で、受験者５は、書籍店４に出向いて当該試験に係る受験申請書用紙を購入する。受験料は、書籍購入時に支払うことで決済される。
【０１５０】
この受験申請書用紙１０’には、顔撮影条件情報ＰＤをエンコードしたバーコードＢＣが印字される（図４参照）。受験者５は、購入した受験申請書用紙１０’に住所・氏名、その他、必要事項を記入して、受験申請書１０を顔撮影受験申請受付けシステム２０に持参する。当該システム２０では、受験申請書１０をスキャナ１４にセットするように案内処理される。
【０１５１】
受験者５は案内処理に従って、当該受験申請書１０をスキャナ１４にセットするようになされる。この受験申請書１０のセットと共に、スキャナ１４は受験申請書１０から顔撮影条件情報ＰＤを読み取るようになされる。スキャナ１４で読み取った顔撮影条件情報ＰＤがカメラ２１に設定される。このとき、写真撮影ボックス内からネットワーク経由で顔画像の撮影条件情報ＰＤを自動的に読み込むようにしてもよい。
【０１５２】
カメラ２１は、顔撮影条件情報ＰＤに基づいて受験者５の顔を撮影して顔画像データＤfaを取得する。当該システム２０では、顔画像データＤfaがプリンタ３３に転送される。プリンタ３３では、顔画像データＤfaに基づいて受験者５の顔写真１８を形成する。顔写真１８はプリンタ３３からプリントアウトされる。受験者５は、顔写真１８を受け取って受験申請書１０の所定の写真貼付領域に貼る。その後、受験申請書１０を認証センター１等に郵送する。認証センター１では受験申請書１０を認証して受験票９０を受験者５に配布するように試験業者３Ａ等に通知する。試験業者３Ａ等は、受験票９０を作成して受験者５に配布する。
【０１５３】
従って、各種試験毎に顔撮影条件が異なった場合であっても、試験業者３Ａ等が要求する顔撮影条件で受験者５の顔写真１８を撮ることができる。しかも、既存の販売基盤経由で取得した受験申請書１０に基づいて、顔撮影受験申請受付けシステム２０で顔写真１８を取得し、顔写真１８を貼付した受験申請書１０を郵送により、認証センター１等に受験申込みをすることができる。
【０１５４】
この例で、受験申請書用紙１０’の顔写真に関して、写真貼付領域に顔写真を貼付する場合について説明したが、これに限られることはなく、写真貼付領域に代えて写真焼き付け領域を予め形成しておき、この写真焼き付け領域に顔画像データＤfaに基づいて顔画像を形成し、受験申請書１０と一体化するようにしてもよい。
【０１５５】
また、上述の例では、受験票９０に関して、紙媒体の受験票９０を受験者５に配布する場合について説明したが、これに限られることはなく、紙媒体の受験票９０に代えて、予め受験者側で携帯端末装置８８を準備してもらい、この携帯端末装置８８に認証情報をダウンロードするようにデータ配信してもよい。このようにすると、図１３Ａ及びＢに示したデータ配信サービスを受けることができる。
【０１５６】
また、このようなシステムを利用すれば、取得した資格や証明書に対しても転用可能なことは容易であり、申請に対して試験情報管理装置から過去に得た資格を参照して、その証明書を発行することも行える。
【産業上の利用可能性】
【０１５７】
この発明は、大学や高校受験、各種資格試験等の受験申請に対して認証するシステムに適用して好適な極めて好適である。
【図面の簡単な説明】
【０１５８】
【図１】本発明に係る第１の実施例としての受験申請認証システム１００の構成例を示す概念図である。
【図２】試験情報管理装置７０の構成例を示すブロック図である。
【図３】Ａは、ＨＤＤ７９における試験情報テーブルの格納例を示す表図、ｂは、顔写真例を示す図である。
【図４】受験申請認証システム１００で適用する受験申請書用紙１０’の構成例を示す図である。
【図５】顔撮影受験申請受付けシステム２０におけるカメラ２１の内部構成例を示すブロック図である。
【図６】受験申請認証システム１００で適用する顔画像入りの受験票９０の構成例を示す図である。
【図７】認証センター１における認証装置６０の構成例を示すブロック図である。
【図８】試験業者３Ａ等における受験申請書用紙１０’の作成時の処理例を示すフローチャートである。
【図９】顔撮影受験申請受付けシステム２０における顔撮影及び受験申請受付け時の処理例（その１）を示すフローチャートである。
【図１０】顔撮影受験申請受付けシステム２０における顔撮影及び受験申請受付け時の処理例（その２）を示すフローチャートである。
【図１１】顔撮影受験申請受付けシステム２０における顔撮影及び受験申請受付け時の処理例（その３）を示すフローチャートである。
【図１２】認証装置６０における処理例を示すフローチャートである。
【図１３】（Ａ）及び（Ｂ）は、携帯端末装置８８及び認証装置６０における情報処理例を各々示すフローチャートである。
【図１４】本発明に係る第２の実施例としての受験申請認証システム２００の構成例を示す図である。
【図１５】本発明に係る第３の実施例としての受験申請認証システム３００の構成例を示す図である。
【符号の説明】
【０１５９】
２  インターネット（通信手段）
１０  受験申請書（申請書）
１０’受験申請書用紙
１４  スキャナ（情報読取手段）
２０  顔撮影受験申請受付けシステム
２１  カメラ（撮影手段）
３３  プリンタ（書類作成手段，受験票作成手段）
４０  パーソナルコンピュータ（情報処理手段）
４４  プリンタ
５５  プリンタ（受験票作成手段，本人確認票作成手段）
６０  認証装置
７０  試験情報管理装置
８０  ワークステーション（情報処理手段）
８１  マウス（入力手段）
８２  キーボード（入力手段）
８８  携帯端末装置
９０  受験票
１００，２００，３００  受験申請認証システム
【図１】
2005196292.tif 000003
【図２】
2005196292.tif 000004
【図３】
2005196292.tif 000005
【図４】
2005196292.tif 000006
【図５】
2005196292.tif 000007
【図６】
2005196292.tif 000008
【図７】
2005196292.tif 000009
【図８】
2005196292.tif 000010
【図９】
2005196292.tif 000011
【図１０】
2005196292.tif 000012
【図１１】
2005196292.tif 000013
【図１２】
2005196292.tif 000014
【図１３】
2005196292.tif 000015
【図１４】
2005196292.tif 000016
【図１５】
2005196292.tif 000017